(57)【特許請求の範囲】
【請求項１】
シートに画像を形成する画像形成部と、前記画像形成部により画像形成されたシートを筐体の外部に排出するシート排出部とを備え、前記筐体の内部に発熱する発熱機器が配置され、前記筐体の外部から空気を取り入れて、発熱する前記発熱機器を冷却する画像形成装置において、
前記筐体の内部に配置され、前記発熱機器の全体を覆うカバーと、
前記カバーの内部に配置され、前記カバーの内部の空気を攪拌する内部ファンと、
前記カバーの外部に配置され、前記筐体の外部の空気を前記筐体の内部に形成された風路に取り入れる外部ファンと、を備え、
前記風路は、前記筐体内に配置される、前記発熱機器以外の他の機器と、前記外部ファンとを仕切る仕切り板によって形成され、
前記カバーは、前記仕切り板によって仕切られている、前記他の機器が配置された空間側に配置され、且つ、前記カバーには、前記仕切り板に設けられた開口を介して前記風路に露出する部分に、前記外部ファンにより前記風路に取り入れた空気と、前記カバーの内部の空気との間で熱交換する熱交換部が形成され、
前記外部ファンは、前記熱交換部に対向して配置され、
前記内部ファンは、吸い込み側が前記発熱機器に対向し、かつ吹き出し側が前記熱交換部に対向するよう、前記熱交換部と前記発熱機器との間に配置されていることを特徴とする画像形成装置。
【請求項２】
前記熱交換部は、前記カバーの一部を凹凸形状に加工して形成されていることを特徴とする請求項１に記載の画像形成装置。
【請求項３】
前記筐体には、通気口が形成されており、
前記外部ファンは、前記通気口から空気を取り入れて前記熱交換部に吹き付けるよう、吸い込み側が前記通気口に対向し、吹き出し側が前記熱交換部に対向していることを特徴とする請求項１又は２に記載の画像形成装置。
【請求項４】
前記カバーの内部の温度を検知する温度検知部を備え、
前記温度検知部の温度検知結果に基づいて、前記外部ファンの回転数を変更することを特徴とする請求項１乃至３のいずれか１項に記載の画像形成装置。
【請求項５】
筐体の内部に発熱する発熱機器が配置された電子装置において、
前記筐体の内部に配置され、前記発熱機器の全体を覆うカバーと、
前記カバーの内部に配置され、前記カバーの内部の空気を攪拌する内部ファンと、
前記カバーの外部に配置され、前記筐体の外部の空気を前記筐体に形成された風路の内部に取り入れる外部ファンと、を備え、
前記風路は、前記筐体内に配置される、前記発熱機器以外の他の機器と、前記外部ファンとを仕切る仕切り板によって形成され、
前記カバーは、前記仕切り板によって仕切られている、前記他の機器が配置された空間側に配置され、且つ、前記カバーには、前記仕切り板に設けられた開口を介して前記風路に露出する部分に、前記外部ファンにより前記風路に取り入れた空気と、前記カバーの内部の空気との間で熱交換する熱交換部が形成され、
前記外部ファンは、前記熱交換部に対向して配置され、
前記内部ファンは、吸い込み側が前記発熱機器に対向し、かつ吹き出し側が前記熱交換部に対向するよう、前記熱交換部と前記発熱機器との間に配置されていることを特徴とする電子装置。
【発明の詳細な説明】
【技術分野】
【０００１】
本発明は、ファンを利用して装置内を空冷する画像形成装置および電子装置に関する。
【背景技術】
【０００２】
従来、電子装置として、シートに画像を形成する画像形成部と、画像形成部により画像形成されたシートを筐体の外部に排出するシート排出部とを備えた画像形成装置が一般的に知られている。この種の画像形成装置には、動作をするときに発熱を伴う機器が含まれている。例えば、画像形成装置は、電源部と、電源部により電力供給されて動作し、帯電された像担持体に対する露光を行うことにより像担持体表面に静電潜像を形成する露光部とを備えている。そして、電源部や露光部等の機器は通電の際に発熱するものであり、機器の温度上昇が機器の性能劣化や寿命低下の原因となっている。従って、発熱する機器の性能劣化や寿命低下を抑制するために、機器を冷却ファンで強制的に空冷するのが一般的である。通常、電源部や露光部等の機器は、通気口が形成された筐体の内部に配置されている。
【０００３】
そして、冷却ファンを運転することにより、筐体の外部から通気口を通じて筐体の内部に空気が導入され、導入された空気が電源部や露光部等の発熱する機器に吹き付けられ、機器が冷却される。
【０００４】
このような冷却ファンによる空冷方法では、冷却対象の機器によっては大きな冷却ファンが必要であり、それに応じて通気口も大きくする必要がある。そして、冷却ファンから離れた部分を冷却するためには、より大きな風圧と風量を得るために冷却ファンの回転数を上げる必要があり、冷却ファンの稼働音も大きくなっていた。
【０００５】
そこで、ファンの回転数を制御することにより騒音を抑えるようにした技術が提案されている（特許文献１〜３参照）。
【０００６】
【特許文献１】特開平５−２０４２２１号公報
【特許文献２】特開平７−１２１０８９号公報
【特許文献３】特開平９−１９７９２２号公報
【発明の開示】
【発明が解決しようとする課題】
【０００７】
しかしながら、上記冷却ファンの制御では、冷却ファンの騒音を抑えることはできるが、筐体内の機器の稼動音を抑えることはできず、機器の稼動音が筐体の通気口から漏れてしまうという問題があった。
【０００８】
また、冷却ファンにより筐体外部の空気を筐体内部に吸い込んだ場合、空気中に浮遊する埃等も同時に吸い込んでしまうこととなる。そして、冷却対象の機器には、冷却ファンによって空気と共に埃等も吹き付けられてしまい、埃等が機器に堆積して動作不良を起こすおそれがあった。
【０００９】
そこで、筐体内の機器を埃から守るために、埃除去用の防塵フィルタを筐体の通気口に設けるのが一般的であるが、防塵フィルタが埃等で目詰まりした場合には、空気の導入が円滑に行われず、冷却効果が低下してしまっていた。
【００１０】
そこで本発明は、発熱する機器を効果的に冷却することができ、防塵フィルタを取り付けなくても機器を埃等から守ることができ、機器の駆動音が漏れるのを抑えることができる画像形成装置および電子装置を提供することを目的とするものである。
【課題を解決するための手段】
【００１１】
上記目的を達成するため、本発明は、シートに画像を形成する画像形成部と、前記画像形成部により画像形成されたシートを筐体の外部に排出するシート排出部とを備え、前記筐体の内部に発熱する発熱機器が配置され、前記筐体の外部から空気を取り入れて、発熱する前記発熱機器を冷却する画像形成装置において、前記筐体の内部に配置され、前記発熱機器の全体を覆うカバーと、前記カバーの内部に配置され、前記カバーの内部の空気を攪拌する内部ファンと、前記カバーの外部に配置され、前記筐体の外部の空気を前記筐体の内部に形成された風路に取り入れる外部ファンと、を備え、前記風路は、前記筐体内に配置される、前記発熱機器以外の他の機器と、前記外部ファンとを仕切る仕切り板によって形成され、前記カバーは、前記仕切り板によって仕切られている、前記他の機器が配置された空間側に配置され、且つ、前記カバーには、前記仕切り板に設けられた開口を介して前記風路に露出する部分に、前記外部ファンにより前記風路に取り入れた空気と、前記カバーの内部の空気との間で熱交換する熱交換部が形成され、前記外部ファンは、前記熱交換部に対向して配置され、前記内部ファンは、吸い込み側が前記発熱機器に対向し、かつ吹き出し側が前記熱交換部に対向するよう、前記熱交換部と前記発熱機器との間に配置されていることを特徴とするものである。
【００１２】
また、本発明は、筐体の内部に発熱する発熱機器が配置された電子装置において、前記筐体の内部に配置され、前記発熱機器の全体を覆うカバーと、前記カバーの内部に配置され、前記カバーの内部の空気を攪拌する内部ファンと、前記カバーの外部に配置され、前記筐体の外部の空気を前記筐体に形成された風路の内部に取り入れる外部ファンと、を備え、前記風路は、前記筐体内に配置される、前記発熱機器以外の他の機器と、前記外部ファンとを仕切る仕切り板によって形成され、前記カバーは、前記仕切り板によって仕切られている、前記他の機器が配置された空間側に配置され、且つ、前記カバーには、前記仕切り板に設けられた開口を介して前記風路に露出する部分に、前記外部ファンにより前記風路に取り入れた空気と、前記カバーの内部の空気との間で熱交換する熱交換部が形成され、前記外部ファンは、前記熱交換部に対向して配置され、前記内部ファンは、吸い込み側が前記発熱機器に対向し、かつ吹き出し側が前記熱交換部に対向するよう、前記熱交換部と前記発熱機器との間に配置されていることを特徴とするものである。
【発明の効果】
【００１３】
本発明によれば、発熱する機器をカバーで覆い、カバーに形成した熱交換部に対向して内部ファン及び外部ファンを配置したことにより、カバー内の機器を効果的に冷却することができる。また、カバーにより機器が遮蔽されているので、機器の稼動音が外へ漏れるのを抑制できる。また、防塵フィルタを取り付けなくても、カバーにより機器に埃が侵入するのを抑制できる。
【発明を実施するための最良の形態】
【００１４】
以下、本発明を実施するための最良の形態について図面を用いて詳細に説明する。
【００１５】
［第１実施形態］
図１は、本第１実施形態に係る画像形成装置の構成を示す概略縦断面図であり、図２は、本第１実施形態に係る画像形成装置の構成を示す概略横断面図である。なお、本第１実施形態では、電子装置としての画像形成装置が画像形成を行う複写機である場合について説明するが、これに限るものではなく、画像形成装置が画像形成を行うプリンタ、ファクシミリ等でもよい。
【００１６】
画像形成装置としての複写機１は、原稿の画像を読み取る画像読取部６９、シートＳに画像を形成する画像形成部２、画像形成部２にシートＳを供給するシート供給部８、搬送ベルト１７、定着部２５及びシート排出部としての排出ローラ対２６を備えている。また、複写機１は、これら各部の動作に必要な電力を供給する電源部７０を備えている。複写機１は、筐体３を備えており、この筐体３内に、画像読取部６９、画像形成部２、シート供給部８、搬送ベルト１７、定着部２５、排出ローラ対２６及び電源部７０が配置されている。ここで、画像形成部２の上部には、画像読取部６９が配置されており、画像形成部２の下部には、シート供給部８、更にその下部には、電源部７０が配置されている。
【００１７】
画像読取部６９は、原稿がセットされる原稿載置台５と、原稿載置台５上にセットされた原稿を押さえる原稿押さえ部材３３と、原稿載置台５上にセットされた原稿を、露光走査することによって読み取る走査光学系４とを備えて構成される。
【００１８】
走査光学系４は、原稿載置台５上の原稿に対して走査しながら光を照射する移動光源６を備えている。また、走査光学系４は、照射した光の反射光の光路を偏向するミラー３９と、ミラー３９により偏向された光を集光するレンズ７と、レンズ７を透過した光を電気的なデジタル信号に変換して画像形成部２に伝送するＣＣＤユニット３６と、を備えている。
【００１９】
複写機１は、ＣＣＤユニット３６のデジタル信号を自己の画像形成部２に伝送すればコピー機として機能し、他の複写機の画像形成部へ、あるいはファクシミリ装置の画像形成部へ伝送すればファクシミリ装置として機能する。
【００２０】
画像形成部２は、像担持体として、アルミニウム等からなる導電性のドラム基体とその外周面上に形成される感光体層とを有するドラム形の電子写真感光体（以下、感光体ドラムという）１０を備えている。また、画像形成部２は、一次帯電器１３、露光部としてのレーザスキャナ部３８、現像器１１、ポスト帯電器１４、転写帯電器１５及び分離帯電器１６を備え、これらが感光体ドラム１０の回転方向に沿って感光体ドラム１０の周りに順次配設されている。また、画像形成部２は、クリーナ１２を備えており、感光体ドラム１０の表面に残ったトナーが除去される。
【００２１】
画像形成部２は、シート供給部８に装填した給紙カセット９ａ，９ｂから、給送ローラ１９ａ，１９ｂ、搬送ローラ対２０ａ，２０ｂによって搬送された紙或いは合成樹脂等のシートＳに対して電子写真方式によってトナー像を形成するようになっている。
【００２２】
詳述すると、図１の矢印方向へ回転する感光体ドラム１０の表面は、一次帯電器１３によって一様に帯電される。そして、レーザスキャナ部３８は、画像読取部６９或いはパソコン等から伝送された画像情報に基づいて帯電された感光体ドラム１０の表面に光照射して露光することにより、感光体ドラム１０の表面に静電潜像を形成する。この感光体ドラム１０の表面に形成された潜像は、現像器１１でトナー現像されて、可視像化される。そして、感光体ドラム１０上のトナー像の帯電量を均一にするポスト帯電器１４によって、感光体ドラム１０上に形成されたトナー像がシートＳに転写されやすい状態となる。この感光体ドラム１０上のトナー像は、搬送されてくるシートＳに転写帯電器１５によって転写される。トナー像が転写されたシートＳは、分離帯電器１６によって感光体ドラム１０表面から剥離される。
【００２３】
分離帯電器１６のシート搬送方向の下流側には、搬送ベルト１７が配置されている。搬送ベルト１７は、搬送ローラ１７ａ，１７ｂ間に巻き付けられている。この搬送ベルト１７のシート搬送方向の下流側には、定着部２５が配置されている。定着部２５は、加熱ローラ２５ａと、この加熱ローラ２５ａに圧接する加圧ローラ２５ｂとを有している。
【００２４】
分離帯電器１６によって剥離されたシートＳは、搬送ベルト１７により搬送されて定着部２５に導かれ、定着部２５で加熱・加圧され、トナー像が定着される。最後にシートＳは、排出ローラ対２６によって筐体３の外部に排出される。
【００２５】
ところで、本第１実施形態では、レーザスキャナ部３８及び電源部７０が、動作時の通電により発熱する機器であり、これら機器３８，７０を空冷する構成としている。
【００２６】
筐体３には、図２に示すように、レーザスキャナ部３８及び電源部７０に対向して、２つの通気口４１，４１が形成されている。各通気口４１には、風向を変えるルーバ４１ａが設けられている。
【００２７】
筐体３の内部には、筐体３の内部に配置された各部２，８，１７，２５，２６，６９，７０を通気口４１，４１から導入される空気から遮蔽する仕切り板４２が設けられている。そして、筐体３の内部には、仕切り板４２と筐体３の通気口４１，４１が形成される側の側板とで囲まれる風路Ｒが形成される。これにより、筐体３の外部の空気が通気口４１，４１を通じて風路Ｒに導かれると共に、風路Ｒの空気が通気口４１，４１を通じて筐体３の外部に排出される。このように、各通気口４１は、吸気口及び排気口として機能している。なお、本第１実施形態では、各通気口４１が吸気口及び排気口として機能する場合について説明したが、これに限るものではなく、通気口４１を吸気口或いは排気口として機能させてもよく、その場合、別途排気口或いは吸気口を設ければよい。
【００２８】
ここで、レーザスキャナ部３８は、不図示の半導体レーザやポリゴンミラー等の部材を有しており、画像品質の劣化を抑制するために、レーザスキャナ部３８を構成する各部材に埃等が付着しないようにしなければならない。また、電源部７０は、不図示のスイッチング素子やコンデンサ等の部材を有しており、短絡を抑制するために、電源部７０を構成する各部材に埃等が付着しないようにしなければならない。
【００２９】
そこで、本第１実施形態では、レーザスキャナ部３８は、金属製のカバー５１で全体が覆われており、レーザ光が出射される部分や配線引き出し部分だけが僅かに開口する略密閉構造となっている。同様に、電源部７０は、金属製のカバー７１で全体が覆われており、配線引き出し部分だけが僅かに開口する略密閉構造となっている。このように各機器３８，７０の全体をカバー５１，７１で覆うことにより、カバー５１，７１の内部に埃が侵入するのを抑制することができる。また、このようにカバー５１，７１で機器３８，７０の全体を覆うことにより、外部に稼動音が漏れるのを抑制することができる。
【００３０】
ここで、本第１実施形態では、レーザスキャナ部３８及び電源部７０は発熱するので、熱がカバー５１，７１内にこもらないよう冷却する構造としている。以下にその冷却構造について詳述する。
【００３１】
図３は、レーザスキャナ部の冷却構造を説明するための概略断面図であり、図４は、電源部の冷却構造を説明するための概略断面図である。また、図５は、カバーの熱交換部近傍の概略を示す説明図である。
【００３２】
仕切り板４２には、図３及び図４に示すように、カバー５１，７１の一部が風路Ｒに露出するよう開口４２ａ，４２ｂが形成されており、仕切り板４２の開口４２ａ，４２ｂに、カバー５１，７１の一部が近接或いは嵌入している。そして、風路Ｒに露出したカバー５１，７１の一部には、カバー５１，７１の内外の空気間で熱交換する熱交換部５１ａ，７１ａが形成されている。
【００３３】
まず、レーザスキャナ部３８の冷却構造について説明する。レーザスキャナ部３８を覆うカバー５１の内部には、図３に示すように、カバー５１の内部に収納されたレーザスキャナ部３８を空冷するため、カバー５１の内部の空気を攪拌する内部ファン５２が設置されている。レーザスキャナ部３８の不図示の半導体レーザは他の部材に比べて高温となるので、性能劣化や寿命低下を抑制するには冷却する必要があるが、放熱を促進させるには内部ファン５２で空冷するのが効果的である。そして、半導体レーザ以外にも冷却が必要な部材がある場合には、この内部ファン５２により同時に冷却することができる。従って、内部ファン５２によってカバー５１の内部の空気を攪拌することで、レーザスキャナ部３８の各部材を空冷することができる。この内部ファン５２は、熱交換部５１ａ近傍であって、熱交換部５１ａに対向して配置されている。そして、内部ファン５２の吸い込み側がレーザスキャナ部３８に対向しており、内部ファン５２の吹き出し側が熱交換部５１ａに対向している。
【００３４】
カバー５１の外部には、筐体３の外部の空気を筐体３の内部の風路Ｒに取り入れる外部ファン５３が、筐体３の内部の風路Ｒに設置されている。この外部ファン５３は、カバー５１の熱交換部５１ａに空気を吹き付けるよう、熱交換部５１ａ近傍に配置されている。そして、外部ファン５３の吸い込み側が通気口４１に対向し、外部ファン５３の吹き出し側が熱交換部５１ａに対向している。
【００３５】
そして、内部ファン５２及び外部ファン５３を動作させることにより、レーザスキャナ部３８が熱交換部５１ａを介して放熱される。つまり、内部ファン５２を動作させることにより、レーザスキャナ部３８により暖められた空気が、矢印Ａの如くカバー内側から熱交換部５１ａに吹き付けられる。そして、この熱交換部５１ａに吹き付けられた空気は、熱交換部５１ａで熱が奪われて冷却される。この冷却された空気は、矢印Ｂの如く熱交換部５１ａで反射され、矢印Ｃの如くレーザスキャナ部３８に戻され、レーザスキャナ部３８の熱を奪って暖められる。
【００３６】
また、外部ファン５３を動作させることにより、通気口４１を介して筐体３の外部の冷たい空気が、矢印Ｄの如く筐体３の内部の風路Ｒに吸い込まれ、カバー５１の内部で暖められた熱交換部５１ａにカバー外側から吹き付けられる。そして、熱交換部５１ａに吹き付けられた空気は、熱交換部５１ａの熱を奪って暖められ、矢印Ｅの如く熱交換部５１ａで反射され、通気口４１を介して筐体３の外部に排出される。
【００３７】
次に、電源部７０の冷却構造について説明するが、レーザスキャナ部３８の冷却構造と同様である。つまり、電源部７０を覆うカバー７１の内部には、図４に示すように、カバー７１の内部に収納された電源部７０を空冷するため、カバー７１の内部の空気を攪拌する内部ファン７２が設置されている。電源部７０の不図示のスイッチング素子は他の部材に比べて高温となるので、性能劣化や寿命低下を抑制するには冷却する必要があるが、放熱を促進させるには内部ファン７２で空冷するのが効果的である。そして、スイッチング素子以外にも冷却が必要な部材がある場合には、この内部ファン７２により同時に冷却することができる。従って、内部ファン７２によってカバー７１の内部の空気を攪拌することで、電源部７０の各部材を空冷することができる。この内部ファン７２は、熱交換部７１ａ近傍であって、熱交換部７１ａに対向して配置されている。そして、内部ファン７２の吸い込み側が電源部７０に対向しており、内部ファン７２の吹き出し側が熱交換部７１ａに対向している。また、カバー７１の外部には、筐体３の外部の空気を筐体３の内部の風路Ｒに取り入れる外部ファン７３が、筐体３の内部の風路Ｒに設置されている。この外部ファン７３は、カバー７１の熱交換部７１ａに空気を吹き付けるよう、熱交換部７１ａ近傍に配置されている。そして、外部ファン７３の吸い込み側が通気口４１に対向し、外部ファン７３の吹き出し側が熱交換部７１ａに対向している。
【００３８】
そして、内部ファン７２及び外部ファン７３を動作させることにより、電源部７０が熱交換部７１ａを介して放熱される。つまり、内部ファン７２を動作させることにより、電源部７０により暖められた空気が、矢印Ａ’の如く熱交換部７１ａに吹き付けられて冷却され、矢印Ｂ’の如く反射され、矢印Ｃ’の如く電源部７０に戻され、電源部７０の熱を奪って暖められる。また、外部ファン７３を動作させることにより、矢印Ｄ’の如く熱交換部７１ａに吹き付けられた空気は、熱交換部７１ａの熱を奪って暖められ、矢印Ｅ’の如く熱交換部７１ａで反射され、通気口４１を介して筐体３の外部に排出される。
【００３９】
熱交換部５１ａ，７１ａは、図５に示すように、カバー５１，７１の内側及び外側から見て連続して延びる断面凹凸形状に加工して形成されている。これにより、熱交換部５１ａ，７１ａに吹き付けられた空気は、熱交換部５１ａ，７１ａの凹凸に沿って流れる。従って、内部ファン５２，７２によって熱交換部５１ａ，７１ａの内側に吹き付けられる空気と、外部ファン５３，７３によって熱交換部５１ａ，７１ａの外側に吹き付けられる空気との間で効果的に熱交換が行われる。本第１実施形態では、内部ファン５２，７２及び外部ファン５３，７３は、それぞれ、一定の回転数に維持され、熱交換部５１ａ，７１ａにおいて安定して熱交換が行われる。
【００４０】
以上の構成により、内部ファン５２，７２及び外部ファン５３，７３を動作させることで、熱交換部５１ａ，７１ａでの放熱が促進される。従って、カバー５１，７１の内部に配置された機器３８，７０は、外部ファン５３，７３により筐体３の外部の空気を直接吹き付けなくても、効果的に冷却することができる。
【００４１】
また、カバー５１，７１の内部の熱は、ほとんどが風路Ｒに露出した熱交換部５１ａ，７１ａで放熱され、カバー５１，７１の熱交換部５１ａ，７１ａ以外の部分ではほとんど放熱しない。そして、熱交換部５１ａ，７１ａで熱交換して暖められた風路Ｒの空気は、外部ファン５３，７３により筐体３の外部に排出され、筐体３の内部に熱がこもるのを抑制できる。
【００４２】
更に、冷却対象である機器３８，７０にはカバー５１，７１で覆うことにより筐体３の外部の空気が直接当たることはないので、機器３８，７０に筐体３の外部の埃が吹き付けられることはなく、機器３８，７０に埃が堆積するのを抑制することができる。しかも、機器３８，７０をカバー５１，７１で覆うことにより、稼動音が外部に漏れるのを抑制することができる。
【００４３】
また、冷却対象外の機器も風路Ｒから仕切り板４２で仕切られているので、外部ファン５３，７３を動作させても、冷却対象外の機器に外部ファン５３，７３による空気が直接当たることはなく、埃が冷却対象外の機器に吹き付けられるもない。従って、冷却対象の機器３８，７０のみならず、冷却対象外の機器にも埃が吹き付けられるのを抑制でき、防塵フィルタを省略することが可能である。
【００４４】
［第２実施形態］
上記第１実施形態では、外部ファンの回転数を変更しない画像形成装置について説明したが、本第２実施形態では、外部ファンの回転数を変更する画像形成装置について説明する。なお、本第２実施形態において、上記第１実施形態と同一の構成については、同一符号を付して説明を省略する。
【００４５】
図６は、第２実施形態に係る画像形成装置の機器の冷却構造を説明するための概略断面図である。本第２実施形態では、画像形成装置としての複写機は、カバー５１，７１内部の温度を検知する温度検知部８０，９０と、内部ファン５２，７２及び外部ファン５３，７３を制御する制御部８１とを備えている。
【００４６】
温度検知部８０は、カバー５１の内部に設置され、制御部８１に接続されている。そして、制御部８１は、温度検知部８０の温度検知結果に基づいて、外部ファン５３の回転数（回転速度）を変更する制御を行う。同様に、温度検知部９０は、カバー７１の内部に設置され、制御部８１に接続されている。そして、制御部８１は、温度検知部９０の温度検知結果に基づいて、外部ファン７３の回転数を変更する制御を行う。
【００４７】
具体的に説明すると、制御部８１は、温度検知部８０の検知温度が低下するに従って外部ファン５３の回転数を直線的に或いは段階的に低下する制御を行う。言い換えれば、制御部８１は、温度検知部８０の検知温度が上昇するに従って外部ファン５３の回転数を直線的に或いは段階的に上昇する制御を行う。同様に、制御部８１は、温度検知部９０の検知温度が低下するに従って外部ファン７３の回転数を直線的に或いは段階的に低下する制御を行う。言い換えれば、制御部８１は、温度検知部９０の検知温度が上昇するに従って外部ファン７３の回転数を直線的に或いは段階的に上昇する制御を行う。
【００４８】
以上、本第２実施形態によれば、温度検知結果に基づく外部ファン５３，７３の制御により、外部ファン５３，７３の回転数を低下させたときに外部ファン５３，７３の稼動音を低下させることができる。そして、外部ファン５３，７３の回転数を上昇させたときには、機器３８，７０を効果的に冷却することができる。
【００４９】
なお、第２実施形態における制御部８１の外部ファン５３，７３の回転数の変更制御は、これに限定するものではない。例えば、制御部８１は、検知温度が閾値（例えば、３０℃）以上か否かを判断し、温度検知部８０、９０の検知温度が閾値（例えば、３０℃）未満の場合には、外部ファン５３、７３の回転数を０に変更してもよい。即ち、外部ファン５３、７３の運転を停止するように制御してもよい。そして、検知温度が閾値（例えば、３０℃）以上の場合、制御部８１は、温度上昇に伴って外部ファン５３，７３の回転数を直線的或いは段階的に上昇させる制御を行うようにしてもよいし、外部ファン５３，７３の回転数を一定に制御してもよい。これによれば、外部ファン５３，７３の運転を停止させた場合には、外部ファン５３，７３の騒音がなくなり、外部ファン５３，７３を運転させた場合には、機器３８，７０を効果的に冷却することができる。
【００５０】
また、上記第１及び第２実施形態では、発熱する機器がレーザスキャナ部３８と電源部７０の場合について説明したが、これに限定するものではなく、他の発熱する機器を冷却する場合についても上述の冷却構造を適用することができる。例えば、露光走査のための光源や電源等の発熱する機器を備えている画像読取部６９にも上述の冷却構造を適用できる。画像形成装置を例示して説明したが、発熱する機器を内包した電子装置であれば本発明を適用可能である。
【００５１】
また、上記第１及び第２実施形態では、熱交換部５１ａ，７１ａとして、カバー５１，７１に断面凹凸形状の加工を施して、カバー５１，７１の内側と外側の両方に凹凸を形成した場合について説明したが、これに限定するものではない。例えば、カバーの一部であって、その内側と外側の両方に別途フィン部材をそれぞれ密着固定して熱交換部を形成するようにしてもよい。
【００５２】
また、上記第１及び第２実施形態では、カバー５１，７１は、略密閉構造としたが、これに限定するものではなく、完全に密閉できるのであれば、密閉構造としてもよい。
【図面の簡単な説明】
【００５３】
【図１】第１実施形態に係る画像形成装置の構成を示す概略縦断面図である。
【図２】第１実施形態に係る画像形成装置の構成を示す概略横断面図である。
【図３】レーザスキャナ部の冷却構造を説明するための概略断面図である。
【図４】電源部の冷却構造を説明するための概略断面図である。
【図５】カバーの熱交換部近傍の概略を示す説明図である。
【図６】第２実施形態に係る画像形成装置の機器の冷却構造を説明するための概略断面図である。
【符号の説明】
【００５４】
１  複写機（画像形成装置、電子装置）
２  画像形成部
３  筐体
２６  排出ローラ対（シート排出部）
３８  レーザスキャナ部（機器）
４１  通気口
５１  カバー
５１ａ  熱交換部
５２  内部ファン
５３  外部ファン
７０  電源部（機器）
７１  カバー
７１ａ  熱交換部
７２  内部ファン
７３  外部ファン
８０  温度検知部
９０  温度検知部
【図１】
0005408884.tif 000002
【図２】
0005408884.tif 000003
【図３】
0005408884.tif 000004
【図４】
0005408884.tif 000005
【図５】
0005408884.tif 000006
【図６】
0005408884.tif 000007